(57)【要約】【課題】配信する設定情報の各設定項目の属性定義までを考慮したものではなかった。そのため、デバイスへの設定情報の配信の際のエラー発生や、配信の結果、設定項目によっては、その設定値が正確に反映されない場合があった。【解決手段】デバイスの特性に応じた設定情報の生成し、更に設定情報間の設定項目の共有を可能とし、設定情報のリモート配信の際には、配信する設定情報に対応したデバイスから構成されたタスクの生成を可能として対処する。【選択図】図１８
2018190002.tif 000002
【特許請求の範囲】
【請求項１】
ネットワークに接続されたデバイスの設定値に対するリモート配信機能を実現するデバイス管理システムにおいて、
リモート配信のための設定情報を作成する際に、
デバイスタイプに対応した設定情報を生成する手段と、
デバイスタイプが異なる設定情報間で設定項目を共有する手段と、
設定情報のリモート配信を実現するタスクを作成する際に、
リモート配信する設定情報タイプに対応した設定情択する手段と、
選択した設定情報に対応したデバイスタイプに属する配信先のデバイスを選択する手段と、
を有することを特徴とする情報記憶装置。
【請求項２】
リモート配信のための設定情報を作成する際に、
複数のデバイスタイプに対応した設定情報を生成する手段と、
を有することを特徴とする請求項１に記載のデバイス管理システム。
【請求項３】
ネットワークに接続されたデバイスの設定値に対するリモート配信機能を実現するデバイス管理システムにおいて、
リモート配信のための設定情報を作成する際に、
デバイスタイプに対応した設定情報を生成するプログラムと、
デバイスタイプが異なる設定情報間で設定項目を共有するプログラムと、
設定情報のリモート配信を実現するタスクを作成する際に、
リモート配信する設定情報タイプに対応した設定情択するプログラムと、
選択した設定情報に対応したデバイスタイプに属する配信先のデバイスを選択するプログラムと、
を備えることを特徴とする情報処理装置制御するためのプログラム。
【請求項４】
リモート配信のための設定情報を作成する際に、
複数のデバイスタイプに対応した設定情報を生成するプログラムと、
を有することを特徴とする請求項１に記載の情報処理装置制御するためのプログラム。
【請求項５】
ネットワークに接続されたデバイスの設定値に対するリモート配信機能を実現するデバイス管理システムにおいて、
リモート配信のための設定情報を作成する際に、
デバイスタイプに対応した設定情報を生成するモジュールと、
デバイスタイプが異なる設定情報間で設定項目を共有するモジュールと、
設定情報のリモート配信を実現するタスクを作成する際に、
リモート配信する設定情報タイプに対応した設定情択するモジュールと、
選択した設定情報に対応したデバイスタイプに属する配信先のデバイスを選択するモジュールと、
を備えることを特徴とする記憶媒体。
【請求項６】
リモート配信のための設定情報を作成する際に、
複数のデバイスタイプに対応した設定情報を生成するモジュールと、
を有することを特徴とする請求項１にの記憶媒体。
【発明の詳細な説明】
【技術分野】
【０００１】
本発明は、複数のデバイスを管理する管理サーバーにおいて、デバイスの特性に応じた設定情報のリモート配信を実現するための情報処理装置、及び情報処理装置方法に関する。
【背景技術】
【０００２】
オフィスのネットワーク上に接続されている複数デバイスに対して、ＩＴ管理者は、デバイスに対して様々な設定情報をリモート配信している。
【０００３】
従来、管理サーバーからの設定情報に関する配信技術としては、配信先デバイスの設定情報に関するサポート能力を取得し、配信する設定情報と取得したデバイスのサポート能力に応じて、配信可能なデバイスに関する詳細を示す画面を提供している（特許文献１）。
【先行技術文献】
【特許文献】
【０００４】
【特許文献１】特開２０１６−０３５７１５号公報
【発明の概要】
【発明が解決しようとする課題】
【０００５】
しかしながら、上述した従来の技術は、配信する設定情報の各設定項目の属性定義までを考慮したものではなかった。
【０００６】
そのため、デバイスへの設定情報の配信の際のエラー発生や、配信の結果、設定項目によっては、その設定値が正確に反映されない場合があった。
【０００７】
このように、従来のデバイスの設定情報に対するリモート配信方法では、デバイスの特性に応じた適切な設定情報の配信を実現するには困難な問題があり、ＩＴ管理者のコンピュータシステムに係る管理コスト面での課題がある。
【課題を解決するための手段】
【０００８】
上記の課題を解決するために、本発明に係る情報記憶装置は、
ネットワークに接続されたデバイスの設定値に対するリモート配信機能を実現するデバイス管理システムにおいて、
リモート配信のための設定情報を作成する際に、デバイスタイプに対応した設定情報を生成する手段と、デバイスタイプが異なる設定情報間で設定項目を共有する手段と、
設定情報のリモート配信を実現するタスクを作成する際に、リモート配信する設定情報タイプに対応した設定情択する手段と、選択した設定情報に対応したデバイスタイプに属する配信先のデバイスを選択する手段とを有することを特徴とする。
【発明の効果】
【０００９】
本発明に係る情報記憶装置によれば、大規模なデバイス管理システムにおいて、デバイスの特性に応じた適切な設定情報のリモート配信を実現し、ＩＴ管理者のコンピュータシステムに係る管理コストを削減する効果を有する。
【図面の簡単な説明】
【００１０】
【図１】本発明の情報処理装置を含む印刷システムのネットワーク構成例。
【図２】本発明の情報処理装置のハードウェア構成を示す図。
【図３】本発明の情報処理装置のソフトウェア構成を示す図。
【図４】本発明のデバイスタイプリストの一例を示す図。
【図５】本発明のデバイスリストの一例を示す図。
【図６】本発明の宛先表リストの一例を示す図。
【図７】本発明の宛先リストの一例を示す図。
【図８】本発明のデバイス管理アプリケーション画面の一例を示す図。
【図９】本発明のアドレス帳管理画面の一例を示す図。
【図１０】（ａ）は本発明のアドレス帳管理における宛先表の新規作成画面の一例を示す図、（ｂ）本発明の第２実施形態に提供するアドレス帳管理における宛先表の新規作成画面の一例を示す図。
【図１１】本発明のアドレス帳管理における宛先表の編集画面の一例を示す図。
【図１２】本発明のアドレス帳管理における宛先表の編集のひとつである宛先の追加画面の一例を示す図。
【図１３】本発明のアドレス帳管理における宛先表の編集のひとつである宛先の共有画面の一例を示す図。
【図１４】（ａ）は本発明の宛先表配信のタスク作成の配信する宛先表の選択画面の一例を示す第１の図、（ｂ）本発明の宛先表配信のタスク作成の配信する宛先表の選択画面の一例を示す第２の図。
【図１５】本発明の宛先表配信のタスク作成デバイス選択画面の一例を示す図。
【図１６】本発明の宛先表配信のタスク作成のタスク登録設定画面の一例を示す図。
【図１７】本発明の宛先表配信のタスク作成の登録内容の確認画面の一例を示す図。
【図１８】本発明のアドレス帳管理に関するフローチャート。
【図１９】本発明の宛先表配信のタスク作成に関するフローチャート。
【図２０】本発明の第２実施形態に適用する宛先表配信のタスク作成に関するフローチャート。
【発明を実施するための形態】
【００１１】
以下、本発明を実施するための形態について、図面に基づいて説明する。
【００１２】
（第１実施形態）
本実施例は、デバイス２０００の設定情報として、デバイス２０００のアドレス帳を構成する宛先表を用いて説明する。ここで、アドレス帳は、ひとつ以上の宛先表から構成され、宛先表は１件以上の宛先から構成されるものとする。
【００１３】
図１は、第１実施形態にかかる情報処理装置の運用例を示す印刷システムのネットワーク構成例である。図１は、管理サーバー１０００と、デバイス２０００のＤｅｖＡ１〜ＤｅｖＡｎ、ＤｅｖＢ１〜ＤｅｖＢｎ、及びＤｅｖＮ１〜Ｎｎから構成していることを示している。
【００１４】
管理サーバー１０００とデバイス２０００は、互いに通信回線３０００により接続されている。ここで、管理サーバー１０００は、デバイス２０００を管理するために、図３に示すデバイス管理部３０が稼働するサーバーである。
【００１５】
次に、管理サーバー１０００は、図２のブロック図に示すハードウェア構成を有している。
【００１６】
ＣＰＵ１０は、ＲＡＭ１２をワークエリアとして、ＲＯＭ１１、及びＨＤＤ１９に格納された管理サーバー１０００のデバイス管理部３０を実行し、システムバス１３を介し、本実施形態の各機能手段を実行する。また、管理サーバー１０００のデバイス管理部３０は、例えば、ＤｉｓｋＤｒｉｖｅ２０にマウント可能なＦＤ、ＣＤ−ＲＯＭ、ＤＶＤ、磁気テープ、ＩＣメモリカード等の記憶媒体により供給される。
【００１７】
ＣＰＵ１０は、ビデオカード（ＶＣ）１４を介して、表示装置（ＣＲＴ）１５にユーザーインタフェース表示を行う。更に、ＣＰＵ１０は、キーボードコントローラ（ＫＢＣ）１６を介し、キーボード（ＫＢ）１７やマウス等のポインティングデバイスからのユーザーインタフェースに対する入力指示に応じた制御を行う。また、ＣＰＵ１０は、ネットワークインタフェースボード（ＮＩＣ）２１を介し、通信回線３０００上のデバイス２０００とのデータ通信を行う。
【００１８】
次に、図３は、管理サーバー１０００上で動作するデバイス管理部３０と、デバイス２０００上で動作するデバイス宛先サービス部３６のソフトウェア構成例である。
【００１９】
デバイス管理部３０は、デバイス探索部３１、タスク管理部３２、デバイス宛先管理部３３、データ保管部３４、及びデバイス宛先データ保管部３５から構成される。また、デバイス管理部３０は、Ｗｅｂベースのアプリケーションとしての実施も可能であり、その場合には、Ｗｅｂブラウザを介しての利用が可能である。
【００２０】
タスク管理部３２は、デバイス探索部３１やデバイス宛先管理部３３が生成し、データ保管部３４に保管したタスクの実行機能を有する。タスク管理部３２は、タスクに設定されたスケジュールに応じて、タスクを保管したデバイス探索部３１、もしくはデバイス宛先管理部３３に、タスク実行を指示する。
【００２１】
デバイス探索部３１のタスクの一例としては、同業者には公知であるところのＳＮＭＰ、ＩＰ  Ｂｒｏａｄｃａｓｔ、ＳＬＰ／Ｍｕｌｔｉｃａｓｔ等によるデバイス２０００に対するデバイス探索機能がある。その際、デバイス探索部３１は、デバイス２０００に対して任意のタイミングで探索を行う。そして、デバイス探索部３１は、ＬＡＮ等の通信回線３０００を介して、ＭＩＢ（Ｍａｎａｇｅｍｅｎｔ  Ｉｎｆｏｒｍａｔｉｏｎ  Ｂａｓｅ）といったデバイス情報を取得／変更する機能を有する。
【００２２】
本実施例では、デバイス探索３１は、デバイス探索の結果として、デバイス名、製品名、アドレス、及びデバイスタイプ等のデバイス情報を取得し、データ保管部３４へ保存する。ここで、データ保管部３４は、ＨＤＤ１９上で稼働するデータベース等のデータ記録媒体であり、デバイスリスト等のテーブルデータが保存される。
【００２３】
また、デバイスタイプとは、デバイス２０００が有する設定情報に関するデバイスの特性を分類した情報である。デバイスタイプの一例を、図４に示す。図４は、デバイス特性からデバイスタイプをＤｅｖｉｃｅＴｙｐｅ１からＤｅｖｉｃｅＴｙｐｅＮに分類した一覧である。例えば、ＤｅｖｉｃｅＴｙｐｅ１に分類されるデバイスは、次のデバイス特性を有していることを示す。
【００２４】
・アドレス帳をサポート
・アドレス帳を構成する宛先表は、１０個
・１０個の宛先表に登録可能な宛先数は最大１，６００宛先
・宛先の種類は、Ｅメールとファクスをサポートし、ファイルは非サポート
・宛先の種類Ｅメールとファイルのうち、例えば、Ｅメールの宛先属性は、宛先名とＥメールアドレスの宛先属性から構成され、宛先属性としてフリガナは非サポート
宛先の種類Ｅメールの宛先属性のうち、例えば、宛先名は、最大２４文字で、文字種はＡＳＣＩＩの設定が可能である。
【００２５】
ＤｅｖｉｃｅＴｙｐｅ２〜ＤｅｖｉｃｅＴｙｐｅＮも同様に先の図４のデバイスタイプリストの分類で示した特性を有している。ここで、ＤｅｖｉｃｅＴｙｐｅ１とＤｅｖｉｃｅＴｙｐｅ２を比較すると、宛先表数や宛先数といった違い以外に、同じＥメールでも宛先名に対する設定可能な最大文字数が異なることがわかる。このことは、ＤｅｖｉｃｅＴｙｐｅ２であるデバイス２０００に対して、ＤｅｖｉｃｅＴｙｐｅ１のデバイス特性に合致した宛先を配布すべきではないことを示す。例えば、２４文字のＥメールアドレスの宛先を含む宛先表を、ＤｅｖｉｃｅＴｙｐｅ２であるデバイス２０００に配信した場合には、デバイス２０００の仕様によっては、有効な１６文字に切った状態で登録してしまう可能性があるためである。
【００２６】
他の宛先属性に関しても同様であり、ユーザーデータである宛先が、配信先のデバイスの特性に合致しない場合には、意図した宛先の登録がなされないことを示す。
【００２７】
従って、デバイスタイプに応じた宛先で構成された宛先表を、正確に登録することが可能なデバイス特性を有するデバイス２０００に配布することが肝要である。
【００２８】
なお、予めデータ保管部３４に、先の図４のデバイスタイプと、デバイスタイプと関連付けた情報、例えば、製品名を関連付けて保存しておき、デバイス探索により取得した製品名からデバイスタイプを特定することでも構わない。
【００２９】
また、デバイス探索部３１がデバイス探索した結果に対して、デバイス宛先管理部３３が、デバイスタイプを特定するための上記情報を、デバイス２０００やデータ保管部３４から取得することでも構わない。
【００３０】
次に、デバイス探索結果の一例を、図５に示す。図５は、デバイス名、製品名、アドレス、及びのデバイスタイプ情報から構成される。例えば、デバイス名がＤｅｖＡ１のデバイス２０００（以降、デバイスＤｅｖＡ１と称す）は、製品名がＤｅｖＡ、アドレスがｉｐＡ１、デバイスタイプがＤｅｖｉｃｅＴｙｐｅ１のデバイス２０００であることを示す。
【００３１】
一方、デバイスＤｅｖＢ１は、製品名がＤｅｖＢ、アドレスがｉｐＢ１、デバイスタイプがＤｅｖｉｃｅＴｙｐｅ２のデバイス２０００であることを示す。デバイスＤｅｖＡ２〜Ａｎ、ＤｅｖＢ２〜Ｂｎ、ＤｅｖＮ１〜Ｎｎも同様である。なお、デバイス情報の取得は、デバイス探索部３１が行ったデバイス探索以外に、ＣＳＶ形式等のファイルをインポートすることでも構わない。
【００３２】
次に、デバイス宛先管理部３３は、デバイス２０００に対応したアドレス帳の管理、及びデバイス２０００に対する宛先表の取得、削除、及び配信等の機能を有する。ここで、デバイス宛先管理部３３は、デバイス２０００のデバイス宛先サービス部３６と、所謂ＳＯＡＰ（Ｓｉｍｐｌｅ  Ｏｂｊｅｃｔ  Ａｃｃｅｓｓ  Ｐｒｏｔｏｃｏｌ）等のプロトコルを利用したＷｅｂサービスにより互いに通信する。なお、デバイス宛先管理部３３の取得機能とは、デバイス２０００のデバイス宛先サービス部３６から宛先表を取得し、デバイス宛先データ保管部３５に保存する機能である。
【００３３】
ここで、デバイス宛先データ保管部３５は、ＨＤＤ１９上の保存領域であり、宛先表等のファイルが保存される。
【００３４】
また、デバイス宛先管理部３３の削除機能とは、デバイス２０００のデバイス宛先サービス部３６に対して任意の宛先表の削除を指示する機能である。
【００３５】
ここで、削除する単位は、宛先表単位以外に、宛先単位であっても構わない。
【００３６】
一方、デバイス宛先管理部３３の配信機能とは、デバイス２０００のデバイス宛先サービス部３６に対して任意の宛先表の配信を実現する機能である。
【００３７】
配信する宛先表は、先のデバイス宛先管理部３３の取得機能したデバイス２０００の宛先表を含み、後述するデバイス宛先管理部３３で管理している宛先表である。
【００３８】
次に、デバイス宛先管理部３３のアドレス帳の管理機能とは、デバイス宛先管理部３３において、デバイス２０００の特性に適合した宛先表、及び宛先の作成、削除、追加、及び宛先表間の宛先の共有を実現する機能である。デバイス宛先管理部３３が管理するアドレス帳の一例を、図６、図７に示す。
【００３９】
図６は、ＩＤ、宛先表名、種類、及び登録宛先数から構成される宛先表リストである。
【００４０】
ＩＤは、宛先表名に対するユニークなシリアル番号である。宛先表名は、後述するアドレス帳管理機能により生成した宛先表の名称である。種類は、宛先表の配信の際に、配信先とすべきデバイス２０００のデバイスタイプである。登録宛先数は、宛先表に登録されている宛先の件数である。本実施例では、宛先表名が宛先表Ａの宛先表は、ＩＤが＜１＞であり、種類は＜ＤｅｖｉｃｅＴｙｐｅ１＞で、その登録件数は＜２００＞宛先であることを示す。種類が＜ＤｅｖｉｃｅＴｙｐｅ１＞ということは、先の図５に示したデバイスリストのデバイスＤｅｖＡ１〜Ａｎに対する宛先表であることを示す。宛先表名＜宛先表Ｂ＞〜＜宛先表Ｎ＞も同様である。
【００４１】
一方、図７は、ＩＤ、ＳＩＤ、宛先種類、宛先名、メールアドレス、及びファクス番号等から構成される図６の宛先表に登録されている宛先リストである。
【００４２】
ＩＤは、先の図６のＩＤとリンクした宛先表名に対するユニークなシリアル番号である。すなわち、図６のＩＤ＜１＞の宛先表名が＜宛先表Ａ＞の宛先表は、図７のＩＤ＜１＞で示される宛先から構成されていることを示す。以降、宛先表名が＜宛先表Ａ＞の宛先表を、宛先表Ａと称す。また、デバイスタイプが＜ＤｅｖｉｃｅＴｙｐｅ１＞の宛先表Ａを、ＤｅｖｉｃｅＴｙｐｅ１の宛先表Ａと称す。
【００４３】
次に、ＳＩＤは、宛先に対するユニークなシリアル番号である。ここで、図７に示す通りＩＤ＜１＞の宛先表ＡのＳＩＤ＜１＞とＳＩＤ＜２＞の宛先は、ＩＤ＜２＞とＩＤ＜Ｎ＞の宛先表Ｂと宛先表Ｎにも存在している。これは、ＳＩＤ＜１＞とＳＩＤ＜２＞の宛先が、宛先表Ａ、宛先表Ｂ、及び宛先表Ｎ間で共有されている同一の宛先であることを示す。
【００４４】
次に、宛先種類は、先の図４で示したＥメールやファクス等の宛先種類を示す。メールアドレスやファクス番号等は、先の図４で示した宛先属性と宛先属性の定義に従って登録された宛先の情報である。例えば、ＩＤ＜１＞の宛先種類＜Ｅメール＞は、宛先名とメールアドレスの宛先属性から構成されていることを示す。そのため、ファクス番号には、構成外を示す＜ｎｕｌｌ＞が設定されている。同様に、ＩＤ＜１＞の宛先種類＜ファクス＞は、宛先名とファクス番号の宛先属性から構成されていることを示す。そのため、メールアドレス、構成外を示す＜ｎｕｌｌ＞が設定されている。
【００４５】
本実施例では、宛先表名が宛先表Ａの宛先表には、宛先名＜Ｕｓｅｒ１１＞、メールアドレス＜Ｕｓｅｒ１１＠ｍａｉｌ＞の宛先種類＜Ｅメール＞の宛先が含まれていることを示す。同様に、宛先名＜Ｕｓｅｒ１２＞、ファクス番号＜０１２３４５＞の宛先種類＜ファクス＞の宛先も含まれていることを示す。宛先表名＜宛先表Ｂ＞〜＜宛先表Ｎ＞に含まれている宛先に関しても同様である。
【００４６】
次に、共有情報は、宛先を共有している宛先表リストのＩＤを示す。本実施例では、宛先表名が宛先表Ａの宛先表の宛先名が＜Ｕｓｅｒ１１＞で、メールアドレス＜Ｕｓｅｒ１１＠ｍａｉｌ＞の宛先種類＜Ｅメール＞の宛先は、宛先表＜２＞と＜Ｎ＞の宛先表にも登録されていることを示す。
【００４７】
次に、デバイス宛先管理部３３のデバイス２０００のデバイス構成情報に対する適切な監視について、図５〜図１９を用いて詳細に説明する。
【００４８】
最初に、デバイス管理部３０を有するデバイス管理アプリケーションの一例を図８に示す。図８のデバイス管理アプリケーション６０は、メニュー６１とタスク作成領域６２から構成される。デバイス管理部３０は、選択したメニュー６１に応じて、タスク作成のための画面をＣＲＴ１５上のタスク作成領域６２に表示する。メニュー６１は、デバイス探索部３１が提供する「デバイス探索」メニューとデバイス構成管理部３３が提供する「デバイス宛先表管理」メニューから構成される。
【００４９】
更に、「デバイス宛先表管理」メニューは、「アドレス帳管理」、「宛先表配信のタスク作成」、及び「その他のタスク」メニューから構成される。ここで、「デバイス探索」メニューは、デバイス探索３１が、デバイス２０００に対して探索タスクを実行するメニューである。デバイス探索結果の一例が、先の図５に示したデバイスリストである。
【００５０】
次に、「アドレス帳管理」メニューは、デバイス宛先管理部３３が、デバイス２０００の特性に適合した宛先表、及び宛先の作成、削除、追加、及び宛先表間の宛先の共有を実現するメニューである。また、「宛先表配信のタスク作成」メニューは、デバイス宛先管理部３３が、デバイス２０００に対して宛先表を配信するためのメニューである。
一方、「その他のタスク」メニューは、デバイス２０００に対する宛先表の取得や削除等を実行するメニューである。
【００５１】
次に、図１８〜図１９のフローチャートは、デバイス２０００に対して、デバイス２０００の特性に応じた宛先表を配信するためのタスク作成に関する処理を示す。
【００５２】
最初に、デバイス宛先管理部３３は、「アドレス帳管理」メニューを選択する（Ｓ１８００）。次に、デバイス宛先管理部３３は、データ保管部３４から宛先表情報を取得する（Ｓ１８０１）。本実施例では、デバイス宛先保管部３３は、先の図６に示した宛先表リストを、データ保管部３４から取得する。
【００５３】
次に、デバイス宛先管理部３３は、「アドレス帳管理」画面をＣＲＴ１５に表示する（Ｓ１８０２）。「アドレス帳管理」画面の一例を、図９に示す。「アドレス帳管理」画面は、配信可能な宛先表セクションから構成される。更に、図９の「アドレス帳管理」画面は、新たに宛先表を作成するための［新規作成］ボタン、及び宛先表を削除するための［削除］ボタンから構成される。また、図９の「アドレス帳管理」画面は、各宛先表の宛先に関する編集を施すための［編集］ボタンを有する。
【００５４】
次に、配信可能な宛先表セクションは、宛先表名、種類、登録宛先数から構成された選択リストである。本実施例では、デバイス宛先管理部３３は、先のＳ１８０１で取得した図６の宛先表リストを表示する。
【００５５】
次に、デバイス宛先管理部３３は、ＫＢ１７からのボタンアクションを判定し（Ｓ１８０３）、［新規作成］ボタン押下と判定した場合にはＳ１８０４に遷移する。
【００５６】
次に、デバイス宛先管理部３３は、「宛先表の新規作成」画面をＣＲＴ１５に表示する（Ｓ１８０４）。「宛先表の新規作成」画面の一例を、図１０（ａ）に示す。「宛先表の新規作成」画面は、宛先表の設定セクションから構成される。更に、図１０（ａ）の「宛先表の新規作成」画面は、宛先表の設定セクションで設定した宛先表を作成するための［作成］ボタン、及び処理を中止するための［キャンセル］ボタンから構成される。何れのボタンを押下した場合でも、先の図９の「アドレス帳管理」画面に遷移する。
【００５７】
宛先表の設定セクションは、宛先表の種類と宛先表名から構成される。宛先表の種類は、作成する宛先表が対応するデバイスタイプを設定するための選択リストであり、先の図５のデバイスタイプの値がリストされる。宛先表名は、作成する宛先表の名称を設定する編集ボックスである。なお、本実施例では、デバイス宛先管理部３３は、宛先表の種類として＜ＤｅｖｉｃｅＴｙｐｅ１＞〜＜ＤｅｖｉｃｅＴｙｐｅＮ＞をリストする。
【００５８】
次に、デバイス宛先管理部３３は、デバイスタイプに応じた宛先表を作成するための設定を行う（Ｓ１８０５）。本実施例では、デバイス宛先管理部３３は、先の図６に示したＤｅｖｉｃｅＴｙｐｅ１の宛先表Ａを作成したときの設定を行う。デバイス宛先管理部３３は、宛先表の種類として＜ＤｅｖｉｃｅＴｙｐｅ１＞を選択し、宛先表名として＜宛先表Ａ＞を設定する。
【００５９】
次に、デバイス宛先管理部３３は、ＫＢ１７からのボタンアクションを判定し（Ｓ１８０６）、［作成］ボタン押下と判定した場合にはＳ１８０７に遷移する。
【００６０】
次に、デバイス宛先管理部３３は、先のＳ１８０５、及びＳ１８０６で作成した宛先表Ａを、データ保管部３４の先の図６の宛先表リストに保存する（Ｓ１８０７）。
【００６１】
本実施例では、デバイス宛先管理部３３は、宛先表の種類が＜ＤｅｖｉｃｅＴｙｐｅ１＞で、宛先表名が＜宛先表Ａ＞の宛先表を宛先表リストに保存し、先のＳ１８０２に遷移する。従って、先の図６の宛先表リストは、ＤｅｖｉｃｅＴｙｐｅ１の宛先表Ａを保存した結果を示す。ここで、図６の宛先表リストの宛先表Ａの宛先の登録数が＜２００＞件となっているが、宛先表を保存した時点では、登録数は＜０＞件であることは言うまでもない。
【００６２】
一方、デバイス宛先管理部３３は、先のＳ１８０６で［作成］ボタン押下以外と判定した場合にはＳ１８０２に遷移する。
【００６３】
次に、デバイス宛先管理部３３は、先のＳ１８０３にて［編集］ボタン押下と判定した場合にはＳ１８０８に遷移する。
【００６４】
次に、デバイス宛先管理部３３は、「宛先表の編集」画面をＣＲＴ１５に表示する（Ｓ１８０８）。「宛先表の編集」画面の一例を、図１１に示す。「宛先表の編集」画面は、先の図９の「アドレス帳管理」画面において選択した宛先表に対する宛先の編集のための画面である。「宛先表の編集」画面は、編集中の宛先表セクションと宛先リストセクションから構成される。
【００６５】
更に、図１１の「宛先表の編集」画面は、宛先を追加するための［追加］ボタン、宛先を共有するための［共有］ボタン、宛先を削除するための［削除］ボタン、及び処理を中止するための［キャンセル］ボタンから構成される。また、図１１の「宛先表の編集」画面は、宛先に関する編集を施すための［編集］ボタンを有する。ここで、編集中の宛先表セクションは、先の図９の「アドレス帳管理」画面において選択した編集対象となっている宛先表を表示する。また、宛先リストセクションは、編集する宛先表に登録されている宛先を、先の図７の宛先リストから抽出して表示する。本実施例では、デバイス宛先管理部３３は、編集中の宛先表セクションに、先の図９で選択したＤｅｖｉｃｅＴｙｐｅ１の宛先表Ａであることを示す＜宛先表Ａ＞と表示する。
【００６６】
そして、デバイス宛先管理部３３は、先の図７のＩＤが＜１＞である宛先を抽出し、宛先表Ａに登録されている宛先として、宛先名が＜Ｕｓｅｒ１１＞、＜Ｕｓｅｒ１２＞のＥメール宛先とファクス宛先等を表示する。
【００６７】
なお、図１１の宛先カラムには、宛先の種類が＜Ｅメール＞の場合には、図７のメールアドレスを表示し、＜ファクス＞の場合にはファクス番号といったその宛先の種類のキーとなる情報を表示する。ここで、例えば、宛先の種類に詳細リンクを付けることで、その宛先を構成する宛先属性と宛先属性値を表示する画面に遷移することでも構わない。
【００６８】
次に、デバイス宛先管理部３３は、ＫＢ１７からのボタンアクションを判定し（Ｓ１８０９）、［追加］ボタン押下と判定した場合にはＳ１８１０に遷移する。
【００６９】
次に、デバイス宛先管理部３３は、編集対象の宛先表のデバイスタイプに応じた「宛先の追加」画面をＣＲＴ１５に表示する（Ｓ１８１０）。「宛先の追加」画面の一例を、図１２に示す。「宛先の追加」画面は、先の図９の「アドレス帳管理」画面において選択した宛先表に宛先の追加登録するための画面である。「宛先の追加」画面は、編集中の宛先表セクションと追加する宛先の設定セクションから構成される。
【００７０】
更に、図１２の「宛先の追加」画面は、宛先を追加するための［追加］ボタン、及び処理を中止するための［キャンセル］ボタンから構成される。ここで、編集中の宛先表セクションは、先の図９の「アドレス帳管理」画面において選択した編集対象となっている宛先表を表示する。また、追加する宛先の設定セクションは、宛先の種類とその宛先属性から構成される。宛先の種類は、編集中の宛先表のデバイスタイプに応じた宛先種類をリスト表示する。ここで、編集中の宛先表のデバイスタイプに応じた宛先種類とは、先の図４に示した各デバイスタイプリストにてサポートされている宛先種類を表示することを意味する。そして、デバイス宛先管理部３３は、宛先の種類で選択された値と宛先表のデバイスタイプとから、先の図４に示した各デバイスタイプリストにてサポートされている宛先属性を設定するための編集ボックスを表示する。
【００７１】
本実施例では、デバイス宛先管理部３３は、ＤｅｖｉｃｅＴｙｐｅ１の宛先表Ａに対して、宛先の種類として＜Ｅメール＞を選択する。そして、デバイス宛先管理部３３は、図４に示すデバイスタイプリストから＜ＤｅｖｉｃｅＴｙｐｅ１＞の＜Ｅメール＞の宛先属性を構成する編集ボックスである宛先名とメールアドレスを表示する。ここで、例えば、宛先表Ａのデバイスタイプが＜ＤｅｖｉｃｅＴｙｐｅＮ＞で、宛先の種類として＜Ｅメール＞を選択した場合には、図４に示す通り宛先名、メールアドレス、及びフルガナの編集ボックスを表示する。
【００７２】
次に、デバイス宛先管理部３３は、先のＳ１８１０で表示された編集ボックスに対して、追加する宛先の設定を行う（Ｓ１８１１）。本実施例では、デバイス宛先管理部３３は、宛先名として＜Ｕｓｅｒ１３＞、そのメールアドレスとして＜Ｕｓｅｒ１３＠ｍａｉｌ＞を設定する。
【００７３】
次に、デバイス宛先管理部３３は、ＫＢ１７からのボタンアクションを判定し（Ｓ１８１２）、［追加］ボタン押下と判定した場合にはＳ１８１３に遷移する。
【００７４】
次に、デバイス宛先管理部３３は、先のＳ１８１１で設定した宛先に対する宛先属性の設定値が、先の図４に示した宛先属性の定義に適合するかを検証する（Ｓ１８１３）。本実施例では、デバイス宛先管理部３３は、ＤｅｖｉｃｅＴｙｐｅ１のＥメールの宛先名として設定した＜Ｕｓｅｒ１３＞が、先の図４で示す宛先属性の定義である２４文字以内か、使用しいている文字種がＡＳＣＩＩかであるか否かを検証する。同様に、ＤｅｖｉｃｅＴｙｐｅ１のＥメールのメールアドレスとして設定した＜Ｕｓｅｒ１３＠ｍａｉｌ＞に対しても検証する。
【００７５】
次に、デバイス宛先管理部３３は、先のＳ１８１３の検証の結果、先のＳ１８１１で設定した宛先の宛先属性値が、追加先の宛先属性値に適合しているかを判定し（Ｓ１８１４）、適合していると判定した場合にはＳ１８１５に遷移する。
【００７６】
次に、デバイス宛先管理部３３は、先のＳ１８１１で設定した宛先を、データ保管部３４の先の図７の宛先リストに保存し、先のＳ１８０２に遷移する。本実施例では、デバイス宛先管理部３３は、宛先表名＜宛先表Ａ＞のＤｅｖｉｃｅＴｙｐｅ１の宛先表に、宛先名＜Ｕｓｅｒ１３＞、メールアドレス＜Ｕｓｅｒ１３＠ｍａｉｌ＞のＥメールを保存し、先のＳ１８０２に遷移する。
【００７７】
一方、先のＳ１８１４にて適合していないと判定した場合には、適合していなかった宛先属性の設定値に対するエラーをＳ１８１６で通知し、Ｓ１８１１に遷移する。例えば、ＤｅｖｉｃｅＴｙｐｅ１のＥメールの「宛先名」として、２５文字以上の設定をした場合には、「宛先名」の最大文字列長が宛先属性の定義を超えている旨のエラーを通知し修正を促す。
【００７８】
次に、デバイス宛先管理部３３は、先のＳ１８０９にて［共有］ボタン押下と判定した場合にはＳ１８１７に遷移する。
【００７９】
次に、デバイス宛先管理部３３は、編集対象の宛先表のデバイスタイプに応じた「宛先の共有」画面をＣＲＴ１５に表示する（Ｓ１８１７）。「宛先の共有」画面の一例を、図１３に示す。「宛先の共有」画面は、先の図９の「アドレス帳管理」画面において選択した宛先表に登録されている宛先を、他の宛先表と共有するための画面である。「宛先の共有」画面は、編集中の宛先表、共有先の宛先表の指定、共有する宛先セクションから構成される。
【００８０】
更に、図１３の「宛先の共有」画面は、宛先を他の宛先表と共有するための［共有］ボタン、及び処理を中止する［キャンセル］ボタンから構成される。ここで、編集中の宛先表セクションは、先の図９の「アドレス帳管理」画面において選択した編集対象となっている宛先表を表示する。
【００８１】
次に、共有先の宛先表の指定セクションは、宛先表の種類の選択リストと、宛先表の種類に対する設定に従属する宛先表名の選択リストから構成される。デバイス宛先管理部３３は、共有先の宛先表の指定セクションの宛先表の種類に、共有候補となるデバイスタイプをリスト表示する。
【００８２】
更に、デバイス宛先管理部３３は、共有先の宛先表の指定セクションの宛先表名に、宛先表の種類で選択したデバイスタイプに対応した宛先表の宛先表名をリストする。本実施例では、デバイス宛先管理部３３は、共有先の宛先表の指定セクションの宛先表の種類に、デバイスタイプ＜ＤｅｖｉｃｅＴｙｐｅ２＞〜＜ＤｅｖｉｃｅＴｙｐｅＮ＞をリスト表示する。そして、宛先表の種類として＜ＤｅｖｉｃｅＴｙｐｅ２＞を選択した場合の宛先表名として、先の図６の宛先表リストに示す宛先表名＜宛先表Ｂ＞をリスト表示する。他の宛先表の種類を選択した場合も同様である。
【００８３】
また、同一デバイスタイプとして複数の宛先表が先の図６の宛先表リストに登録されている場合には、共有元として指定した宛先表名の宛先表以外の宛先表の宛先表名をリストする。更に、宛先表の種類や宛先名は、複数選択を可能としても構わない。この場合には、図１３に示すコンボボックス形式のリスト表示ではなく、例えば、複数選択が可能なリスト形式で表示する。
【００８４】
次に、デバイス宛先管理部３３は、共有する宛先セクションに、先の図１１でリスト表示した宛先リストにて予め選択した宛先をリスト表示する。本実施例では、デバイス宛先管理部３３は、ＤｅｖｉｃｅＴｙｐｅ１の宛先表Ａに登録されている宛先名が＜Ｕｓｅｒ１１＞のＥメールと、宛先名が＜Ｕｓｅｒ１２＞のファイルをリスト表示する。
【００８５】
次に、デバイス宛先管理部３３は、ＫＢ１７からのボタンアクションを判定し（Ｓ１８１９）、［共有］ボタン押下と判定した場合にはＳ１８２０に遷移する。
【００８６】
次に、デバイス宛先管理部３３は、共有する宛先の宛先属性値が、先のＳ１８１８で設定した共有先の宛先属性値に適合するかを、先の図４に示した宛先属性の定義を用いて検証する（Ｓ１８２０）。本実施例では、デバイス宛先管理部３３は、共有する宛先である宛先名＜Ｕｓｅｒ１１＞のＥメールの宛先属性値が、共有先であるＤｅｖｉｃｅＴｙｐｅ２の宛先表ＢのＥメールの宛先属性の定義に適合するかを検証する。宛先名＜Ｕｓｅｒ１２＞のファイルに関しても同様である。
【００８７】
次に、デバイス宛先管理部３３は、先のＳ１８２０の検証の結果、先のＳ１８１８で設定した共有する宛先の宛先属性値が、共有先の宛先属性値に適合したかを判定し（Ｓ１８２１）し、適合していると判定した場合にはＳ１８２２に遷移する。
【００８８】
次に、デバイス宛先管理部３３は、共有する宛先を、データ保管部３４の先の図７の宛先リストの共有先として指定した宛先表に保存し、Ｓ１８０２に遷移する。本実施例では、デバイス宛先管理部３３は、ＤｅｖｉｃｅＴｙｐｅ２の宛先表Ｂに、宛先表Ａの宛先名＜Ｕｓｅｒ１１＞のＥメールと宛先名＜Ｕｓｅｒ１２＞のファクスの宛先を保存し、Ｓ１８０２に遷移する。
【００８９】
先の図７の宛先リストは、保存した結果を示しており、ＤｅｖｉｃｅＴｙｐｅＢの宛先表Ｂにも、ＤｅｖｉｃｅＴｙｐｅＮの宛先表Ｂにも、ＤｅｖｉｃｅＴｙｐｅ１の宛先表Ａの宛先表Ａの宛先名＜Ｕｓｅｒ１１＞のＥメールが登録されていることを示す。宛先表Ａの宛先名＜Ｕｓｅｒ１２＞のファクスも同様である。
【００９０】
一方、先のＳ１８２１にて適合していないと判定した場合には、適合していなかった宛先属性の設定値に対するエラーをＳ１８２３で通知し、Ｓ１８１１に遷移する。例えば、ＤｅｖｉｃｅＴｙｐｅ１のＥメールの宛先名として１７文字以上の設定をした場合には、共有先として選択したＤｅｖｉｃｅＴｙｐｅ２の宛先表ＢのＥメールの宛先名の宛先属性の定義である１６文字を超えている旨のエラーを通知し修正を促す。
【００９１】
一方、デバイス宛先管理部３３は、先のＳ１８１２で［追加］ボタン押下以外と判定した場合にはＳ１８０２に遷移する。同様に、デバイス宛先管理部３３は、先のＳ１８１９で［共有］ボタン押下以外と判定した場合にはＳ１８０２に遷移する。また、デバイス宛先管理部３３は、先のＳ１８０３で［新規作成］ボタン、及び［編集］ボタン押下以外と判定した場合には処理を終了する。
【００９２】
次に、先の図１８で生成した宛先を含む宛先表をデバイス２０００に対してリモート配信するためのタスク作成を、図１９のフローチャート、図１４〜図１７、及び先の図４〜図６を用いて説明する。
【００９３】
最初に、デバイス宛先管理部３３は、「宛先表配信のタスク作成」メニューを選択する（Ｓ１９００）。次に、デバイス宛先管理部３３は、「宛先表配信のタスク作成」のＳＴＥＰ１を示す「配信する宛先表の選択」画面をＣＲＴ１５に表示する（Ｓ１９０１）。「配信する宛先表の選択」画面の一例を、図１４（ａ）に示す。「配信する宛先表の選択」画面は、宛先表選択ビューと配信する宛先表の選択セクションから構成される。更に、図１４（ａ）の「配信する宛先表の選択」画面は、画面遷移するための［次へ］ボタン、及び処理を中止するための［キャンセル］ボタンから構成される。
【００９４】
宛先表選択ビューセクションは、配信する宛先表のデバイスタイプの選択リストであり、先の図６の宛先表リストに登録されている種類からデバイスタイプを抽出表示する。本実施例では、デバイス宛先管理部３３は、先の図６の宛先表リストに登録されている種類からデバイスタイプとして＜ＤｅｖｉｃｅＴｙｐｅ１＞〜＜ＤｅｖｉｃｅＴｙｐｅＮ＞を抽出し、対応する文字列を表示する。対応する文字列とは、例えば、＜ＤｅｖｉｃｅＴｙｐｅ１＞の場合には、＜ＤｅｖｉｃｅＴｙｐｅ１用宛先表＞という文字列を意味する。
【００９５】
配信する宛先表の選択セクションは、デバイスの宛先表、配信する宛先表、及び登録宛先数から構成される選択リストである。デバイスの宛先表とは、先の宛先表選択ビューで選択したデバイスタイプに対応した図４のデバイスタイプリストの宛先表数から、デバイス２０００の宛先表の構成で示す。配信する宛先表とは、先の宛先表選択ビューで選択したデバイスタイプに対応した図６に示す宛先表名をリスト表示する。登録宛先数とは、配信する宛先表で選択した宛先表に登録されている宛先数を表示する。本実施例では、デバイス宛先管理部３３は、デバイスの宛先表に、宛先表選択ビューセクションで選択したＤｅｖｉｃｅＴｙｐｅ１の宛先表数である１０個の宛先表をリスト表示する。そして、デバイス宛先管理部３３は、各デバイスの宛先表に選択可能な宛先表として＜宛先表Ａ＞をリスト表示する。ここで、先の図６の宛先表リストに、宛先表Ａ以外のＤｅｖｉｃｅＴｙｐｅ１の宛先表が存在していた場合には、各デバイスの宛先表に異なる宛先表を選択することが可能となる。
【００９６】
次に、デバイス宛先管理部３３は、登録宛先数に、図６の宛先表リストから配信する宛先表で選択された宛先表Ａに登録されている宛先数である２００件を表示する。
【００９７】
次に、デバイス宛先管理部３３は、ＫＢ１７からのボタンアクションを判定する（Ｓ１９０２）。そして、先のＳ１９０２にて、宛先表選択ビューにて配信する宛先表のデバイスタイプを変更したと判定した場合には、対応する「配信する宛先表の選択」画面をＣＲＴ１５に表示し（Ｓ１９０３）、Ｓ１９０４に遷移する。「配信する宛先表の選択」画面の一例を、図１４（ｂ）に示す。
【００９８】
画面構成は、先の図１４（ａ）と同じであり、宛先表選択ビューで選択したデバイスタイプがＤｅｖｉｃｅＴｙｐｅ２であるため、先の図４のデバイスタイプリストに示す通りデバイスの宛先表は、１０個から１個に変更となる。また、配信する宛先表として先の図６のＤｅｖｉｃｅＴｙｐｅ２の宛先表Ｂがリスト表示される。
【００９９】
一方、先のＳ１９０２にて、宛先表選択ビューにて配信する宛先表のデバイスタイプを変更していないと判定した場合にはＳ１９０４に遷移する。
【０１００】
次に、デバイス宛先表管理３３は、配信する宛先表を選択する（Ｓ１９０４）。本実施例では、デバイス宛先表管理３３は、ＤｅｖｉｃｅＴｙｐｅ１の宛先表Ａをデバイスの宛先表１に対して配信する宛先表として選択する。
【０１０１】
次に、デバイス構成管理部３３は、ＫＢ１７からのボタンアクションを判定し（Ｓ１９０５）、［次へ］ボタン押下と判定した場合にはＳ１９０６に遷移する。
【０１０２】
次に、デバイス宛先管理部３３は、先のＳ１９０４で選択した宛先表選択ビューと配信する宛先表の選択セクション情報を、ＲＡＭ１２上に一時保存する（Ｓ１９０６）。本実施例では、デバイス宛先管理部３３は、配信する宛先表がＤｅｖｉｃｅＴｙｐｅ１の宛先表Ａで、配信先のデバイスの宛先表は宛先表１で構成された情報を一時保存する。
【０１０３】
次に、デバイス宛先管理部３３は、先のＳ１９０４で選択した宛先表の配信が可能なデバイスを先の図５のデバイスリストから抽出する（Ｓ１９０７）。本実施例では、デバイス宛先管理部３３は、配信する宛先表として選択した宛先表Ａのデバイスタイプである＜ＤｅｖｉｃｅＴｙｐｅ１＞のデバイス２０００であるＤｅｖＡ１〜ＤｅｖＡｎを抽出する。
【０１０４】
次に、デバイス宛先管理部３３は、「宛先表配信のタスク作成」のＳＴＥＰ２を示す「デバイス選択」画面をＣＲＴ１５に表示する（Ｓ１９０８）。「デバイス選択」画面の一例を、図１５に示す。図１５の「デバイス選択」画面は、「配信先デバイス候補」セクションから構成される。更に、図１５の「デバイス選択」画面は、画面遷移するための［次へ］ボタン、及び処理を中止するための［キャンセル］ボタンから構成される。「配信先デバイス候補」セクションは、配信先とするデバイス２０００を選択するための選択リストである。本実施例では、デバイス宛先管理部３３は、図１５の「配信先デバイス候補」セクションに、先のＳ１９０７で抽出したＤｅｖｉｃｅＴｙｐｅ１のＤｅｖＡ１〜Ａｎをリスト表示する。
【０１０５】
次に、デバイス宛先管理部３３は、「配信先デバイス候補」セクションに表示されたデバイスリストから配信先とするデバイス２０００を選択する（Ｓ１９０９）。本実施例では、デバイス宛先管理部３３は、デバイスＤｅｖＡ１〜ＤｅｖＡｎを選択する。
【０１０６】
次に、デバイス宛先管理部３３は、ＫＢ１７からのボタンアクションを判定し（Ｓ１９１０）、［次へ］ボタン押下と判定した場合にはＳ１９１１に遷移する。
【０１０７】
次に、デバイス宛先管理部３３は、先のＳ１９０９で選択した配信先デバイス情報を、ＲＡＭ１２上に一時保存する（Ｓ１９１１）。本実施例では、デバイス宛先管理部３３は、配信先デバイス２０００として選択したデバイスＤｅｖＡ１〜ＤｅｖＡｎのデバイス情報を、ＲＡＭ１２上に一時保存する。
【０１０８】
次に、デバイス宛先管理部３３は、「宛先表配信のタスク作成」のＳＴＥＰ３を示す「タスク登録設定」画面をＣＲＴ１５に表示する（Ｓ１９１２）。「タスク登録設定」画面の一例を、図１６に示す。図１６の「タスク登録設定」画面は、タスク名、スケジュール設定、及び実行結果の通知のセクションから構成される。更に、図１６の「タスク登録設定」画面は、画面遷移するための［次へ］ボタン、及び処理を中止するための［キャンセル］ボタンから構成される。ここで、タスク名セクションは、登録するタスクの名称を設定するための編集ボックスである。
【０１０９】
次に、スケジュール設定セクションは、登録したタスクを実行するスケジュール情報を設定する選択リストである。ここで、実行スケジュールは、＜すぐに実行する＞以外に、＜予約実行する＞、＜定期的に実行する＞といった予約実行や定期実行の携帯異でも構わない。なお、＜すぐに実行する＞以外の＜予約実行する＞や＜定期的に実行する＞といった実行スケジュールを選択した場合には、実行時刻や実行周期といった補足的な設定を行うための編集ボックス等を表示する。
【０１１０】
次に、実行結果の通知セクションは、通知先メールアドレスから構成され、宛先表をデバイス２０００に配信したタスクの結果を通知するメールアドレスを指定する編集ボックスである。なお、通知はタスクの成否にかかわらず通知する以外に、タスクが失敗した場合のみ通知等、予め通知条件を設定し、その条件に従った通知でも構わない。
【０１１１】
次に、デバイス宛先管理部３３は、登録するタスク内容を設定する（Ｓ１９１３）。本実施例では、デバイス宛先管理部３３は、図１６に示すように、タスク名が＜宛先表配信タスク＞を、＜すぐに実行する＞といった即時実行でスケジュールし、タスク実行結果を＜ａｄｍｉｎ＠ｍａｉｌ＞にメール通知する設定をする。
【０１１２】
次に、デバイス宛先管理部３３は、ＫＢ１７からのボタンアクションを判定し（Ｓ１９１４）、［次へ］ボタン押下と判定した場合にはＳ１９１５に遷移する。
【０１１３】
次に、デバイス宛先管理部３３は、先のＳ１９１３で設定した登録するタスク内容を、ＲＡＭ１２上に一時保存する（Ｓ１９１５）。本実施例では、デバイス宛先管理部３３は、先の図１６に示すように、タスク名が＜宛先表配信タスク＞を＜すぐに実行する＞といった即時実行スケジュールで、タスク実行結果を＜ａｄｍｉｎ＠ｍａｉｌ＞にメール通知する設定情報を一時保存する。
【０１１４】
次に、デバイス宛先管理部３３は、「宛先表配信のタスク作成」のＳＴＥＰ４を示す「登録内容の確認」画面をＣＲＴ１５に表示する（Ｓ１９１６）。「登録内容の確認」定画面の一例を、図１７に示す。図１７の「登録内容の確認」画面は、タスク名、配信する宛先表、配信先デバイス、スケジュール、及び実行結果の通知のセクションから構成される。デバイス宛先管理部３３は、各セクションに先のＳ１９０４、Ｓ１９０９、及びＳ１９１３で設定した情報を表示する。更に、図１７の「登録内容の確認」画面は、作成したタスクをデータ保管部３４に保存するための［登録］ボタン、及び処理を中止するための［キャンセル］ボタンから構成される。本実施例では、デバイス宛先管理部３３は、図１７に示す情報を表示する。
【０１１５】
・タスク名：宛先表配信タスク
・配信する宛先表：
・宛先表タイプ：ＤｅｖｉｃｅＴｙｐｅ１用宛先表
・配信先となるデバイス宛先表：デバイスの宛先表１
・配信する宛先表：宛先表Ａ
・配信する宛先件数：２００件
・配信先デバイス：ＤｅｖＡ１〜ＤｅｖＡｎ
・スケジュール：すぐに実行する
・実行結果の通知：メールアドレスａｄｍｉｎ＠ｍａｉｌに通知
次に、デバイス宛先管理部３３は、ＫＢ１７からのボタンアクションを判定し（Ｓ１９１７）、［次へ］ボタン押下と判定した場合にはＳ１９１８に遷移する。
【０１１６】
次に、デバイス宛先管理部３３は、先のＳ１９０６、Ｓ１９１１、及びＳ１９１５でＲＡＭ１２に一時保存した登録するタスク内容を、データ保管部３４に保存し、ＲＡＭ１２の一時保存したデータを消去する（Ｓ１９１８）。
【０１１７】
本実施例では、デバイス宛先管理部３３は、図１７に示した宛先表の配信タスクをデータ保管部３４に保存すると共にＲＡＭ１２に一時保存したデータを消去する。なお、先のＳ１９０５で、デバイス宛先管理部３３は、ＫＢ１７からのボタンアクションで、［キャンセル］ボタン押下と判定した場合には処理を終了する。
【０１１８】
一方、先のＳ１９１０、Ｓ１９１４、及びＳ１９１７で、デバイス宛先管理部３３は、ＫＢ１０７からのボタンアクションで、［キャンセル］ボタン押下と判定した場合にはＳ１９１９に遷移する。そして、デバイス宛先管理部３３は、先のＳ１９０６、Ｓ１９１１、及びＳ１９１５でＲＡＭ１２に一時保存したデータを削除し（Ｓ１９１９）、処理を終了する。
【０１１９】
上の処理により、大規模なデバイス管理システムにおいて、デバイス２０００の特性に応じた適切な設定情報のリモート配信を実現し、ＩＴ管理者のコンピュータシステムに係る管理コストを削減する効果を実現する。
【０１２０】
（第２実施形態）
次に、本発明の第２実施形態を説明する。オフィス環境における宛先表の配信タスクにおいて、ひとつの配信タスクでデバイスタイプが異なるデバイス２０００を指定するためには、デバイスタイプ間で共有することが可能な宛先表を適用することが肝要である。
これを実現する本発明の好適かつ詳細な説明（実施例）を説明する。
【０１２１】
図２０は、先の図１８のアドレス帳管理のフローチャートに対して、新たにＳ２０００〜Ｓ２００１を追加したものである。
【０１２２】
デバイス宛先管理部３３は、先のＳ１８０４にて「宛先表の新規作成」画面をＣＲＴ１５に表示する。デバイス宛先管理部３３は、「宛先表の新規作成」画面を構成する宛先表の種類にリストに関して、先の図５のデバイスタイプの値がリストする。このとき、デバイス宛先管理部３３は、複数のデバイスタイプが存在していた場合には、デバイスタイプ個別のリスト項目以外に、デバイスタイプを組み合わせた項目もリストする。本実施例では、デバイス宛先管理部３３は、先の図５に示す通り、デバイスタイプとして、＜ＤｅｖｉｃｅＴｙｐｅ１＞〜＜ＤｅｖｉｃｅＴｙｐｅＮ＞の組み合わせも宛先表の種類としてリストする。
【０１２３】
図１０（ｂ）は、デバイスタイプ間で共通の宛先表を作成するための画面の一例である。図１０（ｂ）は、宛先表の種類として＜ＤｅｖｉｃｅＴｙｐｅ１＋ＤｅｖｉｃｅＴｙｐｅ２＞を選択したものである。
【０１２４】
宛先表の種類＜ＤｅｖｉｃｅＴｙｐｅ１＋ＤｅｖｉｃｅＴｙｐｅ２＞とは、ＤｅｖｉｃｅＴｙｐｅ１のデバイス２０００とＤｅｖｉｃｅＴｙｐｅ２のデバイス２０００に共通な宛先表を作成することを意味する。本実施例では、デバイス宛先管理部３３は、ＤｅｖｉｃｅＴｙｐｅ１のデバイス２０００とＤｅｖｉｃｅＴｙｐｅ２のデバイス２０００に共通な宛先表として、宛先表名が＜共通宛先表１＞の宛先表を作成する。
【０１２５】
次に、デバイス宛先管理部３３は、先のＳ１８０９でＫＢ１７からのボタンアクションを判定し（Ｓ１８０９）、［追加］ボタン押下と判定した場合にはＳ２０００に遷移する。
【０１２６】
次に、デバイス宛先管理部３３は、宛先を追加する宛先表のデバイスタイプが複合型かを判定し、複合型の場合にはＳ２００１に遷移する。複合型デバイスタイプの宛先表とは、前記図１０（ｂ）で示した複数のデバイスタイプに共通な宛先表のことを意味する。すなわち、追加する宛先は、複数のデバイスタイプに共通とする宛先表となることを意味する。
【０１２７】
次に、デバイス宛先管理部３３は、複合型デバイスタイプの宛先表に宛先を追加するための宛先の追加画面をＣＲＴ１５に表示する（Ｓ２００１）。表示する宛先の追加画面の構成は、先のお図１２と同等であるが、表示する宛先属性は、宛先表を構成する複数のデバイスタイプに共通な項目となる。本実施例では、デバイス宛先管理部３３は、例えば、追加する宛先の種類が＜Ｅメール＞の場合には、ＤｅｖｉｃｅＴｙｐｅ１とＤｅｖｉｃｅＴｙｐｅ２の共通となる宛先属性となる宛先名とメールアドレスを表示する。次に、デバイス宛先管理部３３は、先のＳ１８１３で宛先の追加を設定した宛先に対する宛先属性の設定値が、先の図４に示した宛先属性の定義に適合するかを検証する。このとき、デバイス宛先管理部３３は、宛先を追加する宛先表が複合型デバイスタイプの宛先表の場合には、宛先表を構成する全てのデバイスタイプの宛先属性の定義に適合するかを検証する。
【０１２８】
次に、デバイス宛先管理部３３は、宛先表配信のタスク作成のフローチャートである先の図１９のＳ１９０１で、配信する宛先表の選択画面の宛先表選択ビューセクションにおいて複合型デバイスタイプの宛先表の選択もリストする。そして、デバイス宛先管理部３３は、宛先表選択ビューセクションにおいて複合型デバイスタイプの宛先表を選択した場合には、はアイシンする宛先表の選択セクションにおいて、デバイスタイプ毎のデバイス２０００の宛先表の構成を表示する。
【０１２９】
次に、デバイス宛先管理部３３は、先のＳ１９０７で宛先表の配布先となるデバイス２０００を抽出するが、選択された宛先表が複数する複合型デバイスの宛先表の場合には、宛先表を構成する複数のデバイスタイプのデバイス２０００を抽出する。
【０１３０】
以上の処理により、大規模なデバイス管理システムにおいて、デバイス２０００の特性に応じた適切な設定情報のリモート配信を実現し、ＩＴ管理者のコンピュータシステムに係る管理コストを削減する効果を実現する。
【符号の説明】
【０１３１】
１０００  管理サーバー、２０００  デバイス、３０  デバイス管理部
【図１】
2018190002.tif 000003
【図２】
2018190002.tif 000004
【図３】
2018190002.tif 000005
【図４】
2018190002.tif 000006
【図５】
2018190002.tif 000007
【図６】
2018190002.tif 000008
【図７】
2018190002.tif 000009
【図８】
2018190002.tif 000010
【図９】
2018190002.tif 000011
【図１０】
2018190002.tif 000012
【図１１】
2018190002.tif 000013
【図１２】
2018190002.tif 000014
【図１３】
2018190002.tif 000015
【図１４】
2018190002.tif 000016
【図１５】
2018190002.tif 000017
【図１６】
2018190002.tif 000018
【図１７】
2018190002.tif 000019
【図１８】
2018190002.tif 000020
【図１９】
2018190002.tif 000021
【図２０】
2018190002.tif 000022